(57)【要約】      （修正有）【課題】鏡餅容器の開封時の餅の落下を防止するとともに、餅を食するにあたり、容器本体を手で引き裂く必要がなく、容易に餅を取り出すことのできる鏡餅容器を提供する。【解決手段】二段重ねの鏡餅を模した形状の鏡餅容器であって、餅が充填される容器本体２と、容器本体２に取り付けられる蓋部とを備え、容器本体２は、天井部４１が設けられた上段部分４と、上段部分４の下部から連続するように設けられた下段部分５とを有し、上段部分４は、上方から下方に向けて縮径する上段逆テーパ部４３が下部の側壁に形成されるとともに、容器本体２の外側に向けて隆起する溝状の上段リブ４４が上段逆テーパ部４３に設けられ、下段部分５は、餅を充填するための開口部５１が形成され、容器本体２の外側に向けて隆起する溝状のリブを設けることなく側壁が形成される。【選択図】図２
2014015247.tif 000002
【特許請求の範囲】
【請求項１】
二段重ねの鏡餅を模した形状の鏡餅容器であって、
餅が充填される容器本体と、前記容器本体に取り付けられる蓋部とを備え、
前記容器本体は、天井部が設けられた上段部分と、前記上段部分の下部から連続するように設けられた下段部分とを有し、
前記上段部分は、上方から下方に向けて縮径するテーパ部が下部の側壁に形成されるとともに、前記容器本体の外側に向けて隆起する溝状のリブが前記テーパ部に設けられ、
前記下段部分は、餅を充填するための開口部が形成されるとともに、前記容器本体の外側に向けて隆起する溝状のリブを設けることなく側壁が形成されること
を特徴とする鏡餅容器。
【請求項２】
前記天井部は、前記容器本体の内側に向けて陥没する凹部が外面に形成されるとともに、前記容器本体の内側に向けて隆起する凸部が内面に形成されること
を特徴とする請求項１に記載の鏡餅容器。
【請求項３】
前記蓋部は、前記容器本体に取り付けられた状態で、前記下段部分の内部に設けられる平板部と、前記平板部の周縁から下方に延びるように設けられた側壁部とを有し、前記上段部分及び前記下段部分に餅を充填した後に、前記開口部を塞ぐようにして取り付けられた状態で、前記側壁部と前記下段部分の側壁の内面とが離間されて中空部が形成されること
を特徴とする請求項１又は２に記載の鏡餅容器。
【請求項４】
前記下段部分は、前記開口部の外周から外側に向けて延びるように周縁部が設けられ、
前記蓋部は、さらに、前記側壁部の下端から前記容器本体の外側に延びるように設けられた鍔部を有し、前記開口部を塞ぐようにして取り付けられた状態で、前記鍔部と前記周縁部とが重ね合わされること
を特徴とする請求項１〜３の何れか１項に記載の鏡餅容器。
【発明の詳細な説明】
【技術分野】
【０００１】
本発明は、餅を内部に充填した状態で、正月飾りの鏡餅として用いられる鏡餅容器に関するものである。
【背景技術】
【０００２】
従来より、正月飾りの鏡餅として用いられる鏡餅容器は、餅を容器の内部に充填するものや、個別包装された切り餅を容器の内部に収納するもの等が提案されている。例えば、餅を容器の内部に充填する鏡餅容器としては、特許文献１の開示技術が提案されている。
【０００３】
特許文献１の開示技術は、容器本体の上段部分と下段部分とが連結される部位において、容器本体にくびれ部を設け、容器本体のくびれ部と固形化された餅のくびれ部とが係合することで、閉鎖ラップを容器本体から剥がしたときの餅の落下を防止するものである。
【先行技術文献】
【特許文献】
【０００４】
【特許文献１】特開２００９−７０７０号公報
【発明の概要】
【発明が解決しようとする課題】
【０００５】
しかし、特許文献１の開示技術は、容器本体のくびれ部と固形化された餅のくびれ部とが係合しているため、餅を食するにあたって、容器本体を手で引き裂いて餅を取り出す必要があり、容器本体を引き裂くために手間を要するばかりでなく、引き裂いた容器本体の切片で手を切って負傷するおそれがあるという問題点があった。
【０００６】
そこで、本発明は、上述した問題点に鑑みて案出されたものであり、その目的とするところは、鏡餅容器の開封時の餅の落下を防止するとともに、餅を食するにあたり、容器本体を手で引き裂く必要がなく、容易に餅を取り出すことを可能とした鏡餅容器を提供することにある。
【課題を解決するための手段】
【０００７】
第１発明に係る鏡餅容器は、二段重ねの鏡餅を模した形状の鏡餅容器であって、餅が充填される容器本体と、前記容器本体に取り付けられる蓋部とを備え、前記容器本体は、天井部が設けられた上段部分と、前記上段部分の下部から連続するように設けられた下段部分とを有し、前記上段部分は、上方から下方に向けて縮径するテーパ部が下部の側壁に形成されるとともに、前記容器本体の外側に向けて隆起する溝状のリブが前記テーパ部に設けられ、前記下段部分は、餅を充填するための開口部が形成されるとともに、前記容器本体の外側に向けて隆起する溝状のリブを設けることなく側壁が形成されることを特徴とする。
【０００８】
第２発明に係る鏡餅容器は、第１発明において、前記天井部は、前記容器本体の内側に向けて陥没する凹部が外面に形成されるとともに、前記容器本体の内側に向けて隆起する凸部が内面に形成されることを特徴とする。
【０００９】
第３発明に係る鏡餅容器は、第１発明又は第２発明において、前記蓋部は、前記容器本体に取り付けられた状態で、前記下段部分の内部に設けられる平板部と、前記平板部の周縁から下方に延びるように設けられた側壁部とを有し、前記上段部分及び前記下段部分に餅を充填した後に、前記開口部を塞ぐようにして取り付けられた状態で、前記側壁部と前記下段部分の側壁の内面とが離間されて中空部が形成されることを特徴とする。
【００１０】
第４発明に係る鏡餅容器は、第１発明〜第３発明の何れかにおいて、前記下段部分は、前記開口部の外周から外側に向けて延びるように周縁部が設けられ、前記蓋部は、さらに、前記側壁部の下端から前記容器本体の外側に延びるように設けられた鍔部を有し、前記開口部を塞ぐようにして取り付けられた状態で、前記鍔部と前記周縁部とが重ね合わされることを特徴とする。
【発明の効果】
【００１１】
第１発明〜第５発明によれば、下段部分の滑らかな側壁に餅が密着することで、鏡餅容器の開封時の餅の落下を防止するとともに、下段部分の下部の側壁を外側に向けて広げることで、上段逆テーパ部の下部が外側に向けて拡径するように広がり、上段逆テーパ部と餅のくびれ部との係合状態を容易に解除することができる鏡餅容器を提供することが可能となる。
【００１２】
特に、第２発明によれば、複数の凹部で装飾部材の滑落を防止することができるとともに、凹部を文字や模様で形成することができ、さらに、天井部を指で押して、凸部と餅とを容易に分離させることができる鏡餅容器を提供することが可能となる。
【００１３】
特に、第３発明によれば、開口部からの餅の落下を防止することができるとともに、中空部から餅と容器本体との間に空気を流入させることができ、餅を食するにあたり、容器本体を手で引き裂く必要がなく、餅と容器本体とを容易に分離させることができる鏡餅容器を提供することが可能となる。
【００１４】
特に、第４発明によれば、三方やテーブル等に、鏡餅を安定して置くことができる鏡餅容器を提供することが可能となる。
【図面の簡単な説明】
【００１５】
【図１】本発明に係る鏡餅容器が用いられた正月飾りを示す斜視図である。
【図２】本発明に係る鏡餅容器の容器本体を示す一部破断正面図である。
【図３】（ａ）は、本発明に係る鏡餅容器の容器本体を示す平面図であり、（ｂ）は、本発明に係る鏡餅容器の容器本体を示す底面図である。
【図４】（ａ）は、本発明に係る鏡餅容器の蓋部を示す一部破断正面図であり、（ｂ）は、本発明に係る鏡餅容器の蓋部を示す平面図である。
【図５】本発明に係る鏡餅容器の餅が充填された容器本体に蓋部が取り付けられた状態を示す正面断面図である。
【図６】本発明に係る鏡餅容器の餅が充填された容器本体から餅を取り出す状態を示す一部破断正面図である。
【図７】（ａ）は、本発明に係る鏡餅容器の容器本体と餅との間に中空部から空気が流入する状態を示す正面断面図であり、（ｂ）は、本発明に係る鏡餅容器の上段リブが外側に向けて拡径するように広がる状態を示す正面図である。
【発明を実施するための形態】
【００１６】
以下、本発明を適用した鏡餅容器を実施するための形態について、図面を参照しながら詳細に説明する。
【００１７】
本発明を適用した鏡餅容器１は、図１に示すように、二段重ねの鏡餅を模した形状であり、容器本体２と、蓋部３とを備え、三方９ａの上に鏡餅容器１を載せ、さらに、鏡餅容器１の上に橙等の装飾部材９ｂを載せることができ、主に正月飾りとして用いられる。
【００１８】
容器本体２は、図２に示すように、二段重ねの鏡餅の上段に相当する上段部分４と、二段重ねの鏡餅の下段に相当する下段部分５とを有する。容器本体２は、上段部分４の下部から連続するように、下段部分５が設けられる。容器本体２は、白色のプラスチックシート、無色透明のプラスチックシート等に、真空成形等のシート成形を用いることにより、二段重ねの鏡餅を模した形状が形成される。容器本体２は、これに限らず、射出成形により形成されてもよい。
【００１９】
上段部分４は、装飾部材９ｂを載せることのできる天井部４１が、上部に設けられる。上段部分４は、天井部４１の周縁から下方に向けて連続して設けられた側壁において、容器本体２の外側に膨らむように湾曲した上段湾曲部４２が形成される。上段部分４は、上段湾曲部４２の下端から下方に向けて連続して設けられた下部の側壁において、容器本体２の外側に膨らむように湾曲し、上方から下方に向けて縮径する上段逆テーパ部４３が形成される。
【００２０】
上段部分４は、図３に示すように、上段逆テーパ部４３が形成された部位において、容器本体２の外側に向けて膨らむように湾曲して隆起する複数の溝状の上段リブ４４が設けられる。上段リブ４４は、上下方向が長手方向となるように設けられ、上段リブ４４の下部が下段部分５の上部に接続される。
【００２１】
天井部４１は、図２に示すように、容器本体２の内側に向けて陥没する凹部４１ａが外面に形成されるとともに、凹部４１ａに対応するように、容器本体２の内側に向けて隆起する凸部４１ｂが内面に形成される。凹部４１ａは、例えば、図３（ａ）に示すように、平面視で「寿」と読み取ることができるように、様々な文字や模様で形成されてもよい。
【００２２】
下段部分５は、図２に示すように、上段部分４の下部から下方に向けて連続して設けられた側壁において、容器本体２の外側に膨らむように湾曲した下段湾曲部５２が形成される。下段部分５は、下段湾曲部５２の下端から下方に向けて連続して設けられた下部の側壁において、容器本体２の外側に膨らむように湾曲し、上方から下方に向けて縮径する下段逆テーパ部５３が内側に形成される。下段部分５は、容器本体２の外側に向けて隆起する溝状のリブが設けられることなく、滑らかな外面を有する側壁が形成される。
【００２３】
下段部分５は、図３（ｂ）に示すように、下部の側壁の下端が外周となるように、下方に向けて開口した平面円形状の開口部５１が形成される。下段部分５は、開口部５１の外周から、容器本体２の外側に向けて放射状に延びるようにして、平面円形状の外縁が形成された平板状の周縁部５４が設けられる。
【００２４】
蓋部３は、図４に示すように、平面円形状の平板部３１と、平板部３１の周縁から下方に連続して延びるように設けられた側壁部３２とを有する。蓋部３は、これに限らず、下段部分５の開口部５１まで餅を充填してフィルムを貼り付けることにより設けられてもよい。
【００２５】
蓋部３は、図４（ａ）に示すように、下段部分５の下部の側壁の内面に当接される当接部３３が、側壁部３２の下方に連続して設けられるとともに、側壁部３２から外側に向けて突出するように複数の突起部３４が形成される。
【００２６】
蓋部３は、図４（ｂ）に示すように、側壁部３２の下端から外側に向けて放射状に延びるようにして、平面円形状の外縁が形成された平板状の鍔部３６が設けられる。蓋部３は、鍔部３６の外縁の一部を外側に突出させて、つまみ部３７が形成される。蓋部３は、無色透明のプラスチックシート等に、真空成形等のシート成形を用いて、容器本体２に取り付けることのできる形状に形成される。
【００２７】
蓋部３は、図５に示すように、容器本体２に取り付けられた状態で、下段部分５の内部に平板部３１が設けられる。蓋部３は、容器本体２に取り付けられた状態で、下段部分５の下部の側壁の内面と側壁部３２とが離間され、側壁部３２の側方に中空部３５が形成される。
【００２８】
餅９ｃは、一般的に、表面において、ある程度の粘性を有することが知られている。本発明を適用した鏡餅容器１は、容器本体２の外側に向けて隆起する溝状のリブを設けることなく、下段部分５が滑らかな側壁を有するため、容器本体２から蓋部３を取り外したときに、下段部分５の滑らかな側壁に餅９ｃが密着し、下段部分５の開口部５１から餅９ｃが落下することを防止することが可能となる。
【００２９】
本発明を適用した鏡餅容器１は、蓋部３が容器本体２に取り付けられた状態で、蓋部３の平板状の鍔部３６と、下段部分５の平板状の周縁部５４とが重ね合わされるため、三方９ａやテーブル等に、鏡餅を安定して置くことが可能となる。
【００３０】
本発明を適用した鏡餅容器１は、個別包装された切り餅を容器本体２の内部に収納するものではなく、容器本体２の内部に直接餅９ｃを充填するものであるため、容器本体２の内部において、餅９ｃを十分に充填することが可能となる。
【００３１】
本発明を適用した鏡餅容器１は、熱可塑性プラスチックシート等をシート成形して、容器本体２及び蓋部３を製造するものであるため、射出成形により製造されるものに比べて、薄肉の容器本体２及び蓋部３を製造することが可能となる。これにより、本発明を適用した鏡餅容器１は、製造に要する原料の使用量を低減させて製造コストを抑制することが可能となるとともに、容器本体２及び蓋部３を軽量化させて流通コストを抑制することが可能となる。
【００３２】
本発明を適用した鏡餅容器１は、プラスチックシートをシート成形して容器本体２が形成されるため、容器本体２の天井部４１の凸部４１ｂに対応するように凹部４１ａを形成することが可能となる。これにより、本発明を適用した鏡餅容器１は、天井部４１に置かれた装飾部材９ｂの滑落を複数の凹部４１ａで防止することが可能となるとともに、凹部４１ａを文字や模様で形成して、鏡餅容器１に美感を付与することが可能となる。
【００３３】
次に、本発明を適用した鏡餅容器から餅を取り出す方法について、図面を参照しながら詳細に説明する。
【００３４】
本発明を適用した鏡餅容器１は、容器本体２から蓋部３を取り外し、容器本体２の内部に充填された餅９ｃを容器本体２から取り出すことにより、餅９ｃを食するために調理することのできる状態にすることができる。
【００３５】
本発明を適用した鏡餅容器１は、図５に示すように、下段部分５の下部の側壁の内面において、蓋部３の当接部３３が当接されるとともに、蓋部３の側壁部３２から円周方向の複数箇所に突起部３４が当接され、蓋部３が容器本体２に取り付けられる。本発明を適用した鏡餅容器１は、蓋部３のつまみ部３７を引っ張ることで、プラスチックシートの蓋部３が容易に変形し、当接部３３及び突起部３４の当接状態が解除され、蓋部３を容器本体２から容易に取り外すことが可能となる。
【００３６】
本発明を適用した鏡餅容器１は、餅９ｃが容器本体２の内部に充填されて固形化し、容器本体２の上段部分４の上段逆テーパ部４３と、餅９ｃのくびれ部９ｄとが係合しているため、蓋部３を容器本体２から取り外したときに、容器本体２の下段部分５の開口部５１からの餅９ｃの落下を防止することが可能となる。
【００３７】
本発明を適用した鏡餅容器１は、図６に示すように、蓋部３を容器本体２から取り外したときに形成される餅９ｃが充填されていない空間２１に指を入れ、開口部５１の外周に指を引っ掛けて上段部分４の天井部４１を押すことができ、容器本体２から餅９ｃを容易に押し出すことが可能となる。
【００３８】
本発明を適用した鏡餅容器１は、図７（ａ）に示すように、容器本体２から餅９ｃを押し出すときに、容器本体２の下段部分５の下部の側壁が外側に向けて広げられ、中空部３５から餅９ｃと容器本体２との間に空気が流入することになり、餅９ｃと容器本体２とを容易に分離させることが可能となる。
【００３９】
本発明を適用した鏡餅容器１は、容器本体２の下段部分５に下段逆テーパ部５３が形成されることで、容器本体２の外側に向けて膨らむようにして、より大きな中空部３５を形成させることができ、餅９ｃと容器本体２との間への空気の流入を容易にすることが可能となる。
【００４０】
本発明を適用した鏡餅容器１は、図７（ｂ）に示すように、容器本体２の上段部分４の上段逆テーパ部４３が形成された部位に複数の溝状の上段リブ４４が設けられることで、開口部５１の外周に指を引っ掛けて容器本体２の下段部分５の下部の側壁を外側に向けて広げたときに、上段逆テーパ部４３の下部が外側に向けて拡径するように広がることになる。これにより、本発明を適用した鏡餅容器１は、容器本体２の上段部分４の上段逆テーパ部４３と、餅９ｃのくびれ部９ｄとの係合状態を容易に解除することが可能となる。
【００４１】
本発明を適用した鏡餅容器１は、容器本体２の天井部４１の内面に凸部４１ｂが形成され、天井部４１が指で押されて潰れるように変形することで、餅９ｃと凸部４１ｂとを容易に分離させることができ、容器本体２から餅９ｃを容易に押し出すことを可能としている。
【００４２】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００４３】
１        ：鏡餅容器
２        ：容器本体
２１      ：空間
３        ：蓋部
３１      ：平板部
３２      ：側壁部
３３      ：当接部
３４      ：突起部
３５      ：中空部
３６      ：鍔部
３７      ：つまみ部
４        ：上段部分
４１      ：天井部
４１ａ    ：凹部
４１ｂ    ：凸部
４２      ：上段湾曲部
４３      ：上段逆テーパ部
４４      ：上段リブ
５        ：下段部分
５１      ：開口部
５２      ：下段湾曲部
５３      ：下段逆テーパ部
５４      ：周縁部
９ａ      ：三方
９ｂ      ：装飾部材
９ｃ      ：餅
９ｄ      ：くびれ部
【図１】
2014015247.tif 000003
【図２】
2014015247.tif 000004
【図３】
2014015247.tif 000005
【図４】
2014015247.tif 000006
【図５】
2014015247.tif 000007
【図６】
2014015247.tif 000008
【図７】
2014015247.tif 000009